(57)【要約】      （修正有）【課題】冷暖房器具を使用する住宅、オフィスなどの室内空間、及び、屋外のビニールハウス内部で用いる省エネ対策用風船を提供する。【解決手段】風船本体１に空気穴を設け空気充填時に立体となり、立体の各面もしくはその一部に連結機構を備え付け積載時に連結固定をする事ができ、設置時に冷暖房器具を用いる空間の空調体積を立体の体積分だけ減らす風船であって、風船本体１に連結機構凸部４および連結機構凹部５を設ける。風船を連結して配置する事により、空間形状に合致させて空調体積を調整し、燃料消費量を削減できる。【選択図】図１
0003230135.tif 000002
【実用新案登録請求の範囲】
【請求項１】
風船本体に空気穴を設け空気充填時に立体となり、立体の各面もしくはその一部に連結機構を備え付け積載時に連結固定をする事ができ、設置時に冷暖房器具を用いる空間の空調体積を立体の体積分だけ減らすところを特徴とする風船
【考案の詳細な説明】
【技術分野】
【０００１】  本考案は、冷暖房器具を使用する住宅、オフィスなどの室内空間、及び屋外のビニールハウス内部で用いる、風船の形状に関するものである。
【背景技術】
【０００２】  従来の風船は、天然ゴムや塩化ビニル、紙などを素材とする袋の中に気体を入れ膨らませ、商業上の宣伝を目的として空中へ飛ばしたり、玩具として手でついたりして用いられるものである。
【考案の概要】
【考案が解決しようとする課題】
【０００３】  近年、地球温暖化に伴い、世界各地で異常気象や自然災害が発生し、様々な環境問題に直面している。地球温暖化の原因とされる温室効果ガスの削減などに各国が取り組んでいる。打ち水や冷房の２８℃設定、暖房の２０℃設定は対策の内とされている。しかしながら、上述した対策においては、空調体積自体を変化させる事はできないため、本来必要とする広さ以上を空調管理し、燃料をむやみに消費する可能性がある。この問題を解決するために、室内空間の空調体積を減らす場合、従来の風船では連結固定が困難であり、複数個を組み合わせて形状を維持する事も困難であった。そこで本考案は、複数個を組み合わせる事により、室内空間の空調体積を調整する事ができる風船を提供する事を課題とする。
【課題を解決するための手段】
【０００４】  以上の課題を解決するために、本考案は、空気の出し入れを可能とする空気穴を持ち、縦積みと横積みどちらでも高い空間充填率を示す立方体の形状を膨張時に表す風船本体を、その立方体の面上に連結機構を設ける事により、組み合わせ連結固定が可能な形状とし、室内空間の形状に合わせ配置や個数を調整する事により、空調器具の使用時に室内空間の空調体積を減らすところを特徴とする風船である。
【考案の効果】
【０００５】  上述した考案によれば、風船の形状が立方体のため、一般的な風船の形状と異なり、隙間を作る事なく効率良く空間を充填する事ができる。風船を空間に設置する事により、冷暖房を作用させる空調体積が減少する事から、空間を同一温度に冷却もしくは加熱させる時に必要な燃料が、風船を設置しない場合と比べて減り、温室効果ガス排出量の削減に繋がる。また、風船の面が連結機構を備えている事から、複数個を組み合わせ積載する際に、互いを繋ぎ合わせ所定の位置に留める事が可能となる。
【図面の簡単な説明】
【０００６】
【図１】本考案の一実施形態を示す斜視図である。
【図２】本考案の一実施形態を示す平面図である。
【図３】本考案の一実施形態を示す底面図である。
【図４】本考案の一実施形態を示す右側面図である。
【図５】本考案の一実施形態を示す正面図である。
【図６】本考案の一実施形態を示す図５のＡ−Ａ線断面図である。
【図７】本考案の一実施形態の一実施例を示す斜視図である。
【図８】本考案の一実施形態の一実施例を示す正面図である。
【図９】本考案の一実施形態の他の一実施例を示す斜視図である。
【考案を実施するための形態】
【０００７】  以下、本考案を実施するための最良の実施形態について説明する。
【０００８】  この考案の一実施形態を、図１に示す。風船本体１は厚さ０．３ｍｍの薄膜軟質樹脂と直径９ｍｍの空気穴２から構成されている。風船本体１は膨張時に各辺９００ｍｍの寸法を示す立方体となる。風船本体１の側面の一つの中心に空気穴２が配置されている。風船本体１の平面に直径１５０ｍｍ高さ１５０ｍｍの円筒型の凸部の連結機構凸部４が４つ配置されている。風船本体１の底面に直径１７０ｍｍ高さ１７０ｍｍの円筒型の凹部の連結機構凹部５が４つ配置されている。連結機構凸部４と連結機構凹部５の中心は配置面の対角線上の角から３５０ｍｍに位置し、同一鉛直線上で一対一対応するように配置されている。この一実施形態に記載した寸法及び位置は一例であり限定されるものではない。
【０００９】  以下、本考案を実施するための最良の実施形態による効果について説明する。
【００１０】  この実施形態によれば、空調体積を減らすと同時に、風船の素材及び色の遮光性が低いため、ビニールハウス内部では自然光が植物に届き、室内では自然光と人工光が作業者に届く事ができる。風船の各面の形状は、日本家屋で基準寸法となる畳の半畳サイズである事から、室内配置を考える事が容易である。空気穴は立方体の側面に位置するため、床面に積載した状態において空気を追加する事も可能である。平面と底面の連結機構凸部４と連結機構凹部５の中心が鉛直方向で一対一対応する事から、風船同士を組み合わせると連結する事ができ、図９のように積載する際に、空調器具から発生する風で風船が動いたり落下したりしにくい。連結機構凸部４の幅及び高さの寸法値が連結機構凹部５よりも小さいため、風船の膨張具合により連結機構凸部４と連結機構凹部５が実寸寸法と多少異なる場合であっても、風船同士を連結する事ができる。また、図７及び図８のように立方体の連結機構凸部４を２本の棒６の間に位置させる事で、天井付近に風船を安定して設置する事も可能であり、この場合、連結機構凹部５が天井に面するため、風船を天井に密接させる事もできる。
【００１１】  以下、本考案における他の実施形態について説明する。
【００１２】  風船本体１は日光や照明の光を遮らない透明色である事が望ましいが、装飾や意匠などを考慮する場合は、遮光性を有しても問題ない。風船本体１は生地厚０．３ｍｍの薄膜軟質樹脂とするが、折り畳むのに十分な柔軟性を有し、且つ、生地が破損しないだけの十分な強度を持つならば、異なる素材でも良い。風船本体１の内部は一つの空気室３により構成されるが、強度調整や寸法調整などを目的として複数に分割しても良い。風船は空気穴２と連結機構凸部４、連結機構凹部５を加味しない場合、膨張時に各辺９００ｍｍの寸法を示す立方体とする事が望ましいが、使用空間の寸法を考慮し配置個数の調整が必要な場合などは、それと異なる寸法としても良い。風船は直方体とする事が望ましいが、使用空間の状況にあわせて扇形などの異なる形状としても良い。空気穴２は直径９ｍｍである事が望ましいが、空気を支障なく出し入れする事ができる限り、他の直径としても良い。空気穴２は円形である事が望ましいが、空気を支障なく出し入れする事ができる限り、他の形状としても良い。空気穴２は側面の中心に設ける事が望ましいが、空気を支障なく出し入れする事ができる限り、他の位置に配置しても良い。空気穴２は側面に一つ設ける事が望ましいが、空気を支障なく出し入れする事ができる限り、複数設けても良い。連結機構凸部４は、立方体の平面に直径１５０ｍｍ高さ１５０ｍｍの円筒型の凸部を４つ、設ける事が望ましいが、連結に妨げのない場合は、それに限らず設置しても良い。連結機構凹部５は、立方体の底面に直径１７０ｍｍ高さ１７０ｍｍの円筒型の凹部を４つ、設ける事が望ましいが、連結に妨げのない場合は、それに限らず設置しても良い。連結機構凸部４と連結機構凹部５の中心は配置面の対角線上の角から３５０ｍｍに位置し、同一鉛直線上で一対一対応するように配置される事が望ましいが、連結に妨げのない場合は、それに限らず設置しても良い。連結機構は風船本体１に凹凸部を設ける事が望ましいが、連結機能を有する限り、磁石や面ファスナーなどによる他の連結方法を用いても良い。また、連結機構は風船本体１に設けた凹凸部と磁石や面ファスナーなどを組み合わせても良い。連結機構は風船本体１の平面および底面に配置する事が望ましいが、水平方向に連結する場合などは、側面に配置しても良い。
【符号の説明】
【００１３】  １  風船本体
２  空気穴
３  空気室
４  連結機構凸部
５  連結機構凹部
６  棒
【図１】
0003230135.tif 000003
【図２】
0003230135.tif 000004
【図３】
0003230135.tif 000005
【図４】
0003230135.tif 000006
【図５】
0003230135.tif 000007
【図６】
0003230135.tif 000008
【図７】
0003230135.tif 000009
【図８】
0003230135.tif 000010
【図９】
0003230135.tif 000011